(57)【要約】【課題】フック棒がフックから抜け落ちることを防止し、使いやすいフック棒の止め具を提供する。【解決手段】Ｌ形に折曲されたフック２０ａが先端に設けられたフック棒２０を吊り下げて支持するフック棒の止め具３０であって、壁面等への取り付け板部３２と、該取り付け板部３２と平行に前記フック２０ａを掛止すべく取り付け板部３２に設けられたフック部３４と、該フック部３４に前記フック２０ａが係止された際にフック２０ａの曲げ部分の外側面が当接してフック部３４からフック２０ａが抜け落ちることを防止すべく、前記取り付け板部３２と一体に、前記フック部３４の少なくとも一方側の側方に設けられたストッパ部３６ａ、３６ｂとを備えていることを特徴とする。【選択図】          図３
2004190246.tif 000002
【特許請求の範囲】
【請求項１】
Ｌ形に折曲されたフックが先端に設けられたフック棒を吊り下げて支持するフック棒の止め具であって、
壁面等への取り付け板部と、
該取り付け板部と平行に前記フックを掛止すべく取り付け板部に設けられたフック部と、
該フック部に前記フックが係止された際にフックの曲げ部分の外側面が当接してフック部からフックが抜け落ちることを防止すべく、前記取り付け板部と一体に、前記フック部の少なくとも一方側の側方に設けられたストッパ部とを備えていることを特徴とするフック棒の止め具。
【請求項２】
前記ストッパ部が、前記フック部の左右対称となる位置に設けられていることを特徴とする請求項１記載のフック棒の止め具。
【請求項３】
前記ストッパ部が、中央部が膨出した山形の側面形状に形成されていることを特徴とする請求項１または２記載のフック棒の止め具。
【請求項４】
前記取り付け板部の前記フック部の下部側に、小フック部が設けられていることを特徴とする請求項１、２または３記載のフック棒の止め具。
【請求項５】
前記取り付け板部、フック部およびストッパ部が樹脂による一体成形によって形成されていることを特徴とする請求項１、２または３記載のフック棒の止め具。
【発明の詳細な説明】
【０００１】
【発明の属する技術分野】
本発明はシャッターの引き下ろしあるいは開閉窓の開閉等に使用するフック棒の止め具に関する。
【０００２】
【従来の技術】
シャッターの引き下ろしや開閉窓の開閉には、先端をＬ字形に曲げたフック棒が使用される。本出願人は先に、これらのフック棒を吊り下げて簡単に収納できる止め具として、図５に示すような製品を提案した（特許文献１参照）。この止め具は、フック棒２０の先端に設けられているフック２０ａを引っかける支持部１２を、止め具本体１０の取り付け面１０ａから手前側に若干離間させて設けたものである。使用に際しては、フック棒２０の先端のフック２０ａを支持部１２と取り付け面１０ａとの間に下側から差し入れ、フック２０ａを手前側に回すようにして支持部１２の係止溝１２ａに引っかける。
【０００３】
支持部１２を幅広の帯状に形成しているのは、係止溝１２ａにフック２０ａを引っかけた際に、フック２０ａが正面方向に向いて支持されるようにするためである。支持部１２の後端面と取り付け面１０ａとの離間距離は、フック棒２０が支持部１２に引っかけられた状態で、フック２０ａが取り付け面１０ａの方向に移動してもフック２０ａの後側面が取り付け面１０ａに当接してフック２０ａが支持部１２から抜け落ちないように設定されている。
このフック棒の止め具では、フック２０ａの向きを取り付け面１０ａの面と平行にすることにより、支持部１２と取り付け面１０ａとの間にフック２０ａを差し込んで支持部１２に引っかけることができ、フック棒２０の抜け落ちを防止した止め具として提供することが可能になる。
【０００４】
【特許文献１】
特開平９−３１０５７２号公報
【０００５】
【発明が解決しようとする課題】
上述したフック棒の止め具は、支持部１２にフック棒２０を引っかけるようにすることで簡単にフック棒２０を吊り下げて収納することができ、フック棒２０が紛失したりすることを防止して、フック棒２０の使い勝手を向上させることが可能となる。
しかしながら、図５に示す従来のフック棒の止め具は、使用に際して支持部１２の後ろ側にフック２０ａを差し入れ、フック２０ａを手前側に向けるよう回転して引っかける方法によるため、はじめて使用する人にとっては、どのように使用するかが分かりにくい点があり、また、取り付け面１０ａから手前側に離間した位置に支持部１２を形成する構成となっていることから、製造がやや困難で製作費用がかかるという課題があった。
【０００６】
また、フック棒の止め具はフック棒を片づけておく方法として有用であるが、フック棒の止め具はフック棒とともに提供することになるから、その分フック棒の経費に上乗せされることになり、使い勝手はよくなるものの、経費節減の点から採用されにくいという問題があった。
【０００７】
そこで、本発明はこれらの課題を解決すべくなされたものであり、その目的とするところは、フック棒を確実に吊り下げた状態で支持することができ、取り扱い操作が容易で、かつ製造コストを抑えることができることからフック棒とともに容易に提供することができ、これによってフック棒の使い勝手をさらに向上させることができるフック棒の止め具を提供するにある。
【０００８】
【課題を解決するための手段】
上記目的を達成するため、本発明は次の構成を備える。
すなわち、Ｌ形に折曲されたフックが先端に設けられたフック棒を吊り下げて支持するフック棒の止め具であって、壁面等への取り付け板部と、該取り付け板部と平行に前記フックを掛止すべく取り付け板部に設けられたフック部と、該フック部に前記フックが係止された際にフックの曲げ部分の外側面が当接してフック部からフックが抜け落ちることを防止すべく、前記取り付け板部と一体に、前記フック部の少なくとも一方側の側方に設けられたストッパ部とを備えていることを特徴とする。
【０００９】
また、前記ストッパ部が、前記フック部の左右対称となる位置に設けられていることにより、フック棒を右向きあるいは左向きのどちらの向きにもフック部に掛止することができ、右利き、左利きに関わらず使用できて使い勝手が良好になるという利点がある。
また、前記ストッパ部が、中央部が膨出した山形の側面形状に形成されていることにより、フック部にフック棒をフックさせやすくなるという利点がある。
また、前記取り付け板部の前記フック部の下部側に、小フック部が設けられていることにより、小フック部に鍵や使用説明書等を引っかけておくことができ、また、小フック部がフック棒の揺れ止めとしても作用し、フック棒がフック部から外れることを防止することが可能になるという利点がある。
また、前記取り付け板部、フック部およびストッパ部が樹脂による一体成形によって形成されていることにより、量産が容易に可能となる。
【００１０】
【発明の実施の形態】
以下、本発明の好適な実施の形態を添付図面に基づいて詳細に説明する。
図１（ａ）、（ｂ）、（ｃ）は、本発明に係るフック棒の止め具の第１の実施形態の構成を示す正面図、平面図、側面図である。
本実施形態のフック棒の止め具３０は矩形の平板体に形成された取り付け板部３２の中央部に取り付け板部３２から手前側に突出する配置にフック部３４を設け、フック部３４の両側にフック部３４から離間させて取り付け板部３２の両側縁と平行にストッパ部３６ａ、３６ｂを設けたことを特徴とする。なお、本実施形態の止め具３０は樹脂による一体成形によって形成しているが、止め具３０の素材および製造方法はとくに限定されるものではない。
【００１１】
図１（ｂ）に示すように、フック部３４は、所定幅で取り付け板部３２から手前側（壁等への取り付け面とは反対面側）に突出するように設けられている。フック部３４はフック棒２０のＬ形に折曲している先端部のフック２０ａを引っかけて吊り下げるためのものであり、フック部３４を若干幅広に形成しているのはフック２０ａの向きを取り付け板部３２の面と平行にフック棒２０を吊り下げるためである。
【００１２】
ストッパ部３６ａ、３６ｂはフック部３４の両側にフック部３４と所定距離離間して設けている。このストッパ部３６ａ、３６ｂはフック部３４にフック棒２０を引っかけて吊り下げた際に、フック２０ａがフック部３４から外れて抜け落ちないように保持する作用をなしている。本実施形態では取り付け板部３２の板面に直交する向きにストッパ部３６ａ、３６ｂを突出させ、フック部３４にフック２０ａを係止させた状態でフック２０ａがずり落ちないようにフック部３４から離間させた位置にストッパ部３６ａ、３６ｂを設けている。
【００１３】
図１（ｃ）は、フック棒の止め具３０の側面図を示す。ストッパ部３６ａ、３６ｂは中央部が曲面状に膨出する側面形状に形成されている。このようにストッパ部３６ａ、３６ｂを、側面形状で中央部が膨出した形状に形成しているのは、フック部３４にフック棒２０を引っかけた状態でフック棒２０のフック２０ａの曲げ部分の外側面がストッパ部３６ａ、３６ｂの膨出部分の内側面に当接してフック棒２０がフック部３４から外れないように規制するためである。
フック部３４は取り付け板部３２の板面から若干離間した位置に設けられているから、ストッパ部３６ａ、３６ｂを側面形状で山形に形成することにより、フック部３４にフック棒２０を引っかけた際にフック２０ａがストッパ部３６ａ、３６ｂの内側面に当接するようにすることができる。
【００１４】
ストッパ部３６ａ、３６ｂはフック２０ａの曲げ部の外側面を当接させて規制する作用をなすためのものであり、したがって、ストッパ部３６ａ、３６ｂの形状は、フック部３４にフック棒２０を吊り下げた状態でフック２０ａの曲げ部とストッパ部３６ａ、３６ｂとが干渉する（当接する）位置関係となるように設ければよい。ストッパ部３６ａ、３６ｂをもっとも単純に形成するには、矩形の平板状に形成すればよい。
本実施形態の止め具３０において、ストッパ部３６ａ、３６ｂを山形の側面形状に形成しているのは、ストッパ部３６ａ、３６ｂの膨出部分がフック棒２０のフック２０ａの外側面部分に当接してフック２０ａの抜け落ちを防止するストッパ作用をなすとともに、ストッパ部３６ａ、３６ｂの上下側での張り出し量を制約することによって樹脂材を減量すると共に、フック棒２０を止め具３０に係脱する操作をしやすくするためである。
【００１５】
ストッパ部３６ａ、３６ｂが広幅のまま上下方向の全体にわたって突出していると、フック棒２０をフック部３４に引っかける際にストッパ部３６ａ、３６ｂの内側にフック２０ａを位置合わせするようにして引っかけるように操作しなければならないのに対して、ストッパ部３６ａ、３６ｂの上下部分を切り欠いた形状としておくと、フック棒２０を引っ掛ける際にストッパ部３６ａ、３６ｂが邪魔にならず、フック部３４にフック２０ａを引っかけると、自然にストッパ部３６ａ、３６ｂの内側面にフック２０ａの曲げ部の外側面部分が当接し、位置ずれが防止された状態でフック部３４に係止することができる。これは、フック２０ａの曲げ部分の外側面が曲面状となっていることから、ストッパ部３６ａ、３６ｂにフック２０ａの曲げ部の外側面が当接して自然にフック部３４に位置決めされる作用が生じるからである。
【００１６】
図１において、３８ａ、３８ｂは止め具３０を壁面等に固定するためのビス孔である。本実施形態では取り付け板部３２の中央部の上下位置にビス孔３８ａ、３８ｂを設けて止め具３０を壁面や幅の狭い横桟等に固定しやすくするとともに、上下のビス孔３８ａ、３８ｂによって止め具３０を固定することによって堅固に止め具３０を固定することが可能となっている。
４０は取り付け板部３２の下縁部に設けた小フック部である。この小フック部４０はシャッターの鍵、説明書、保証書等を引っかけて係止する等の目的で設けられているものである。本実施形態の止め具３０では図１（ｃ）に示すように、小フック部４０は上向きのＬ字形に形成されている。
【００１７】
なお、この小フック部４０は鍵等を引っかける作用の他に、フック部３４にフック２０ａを係止させた際にフック棒２０を揺れ防止させる作用も有している。すなわち、フック部３４にフック２０ａを係止させると、フック部３４から下方にフック棒２０が長く吊り下がり、風が吹いたりするとフック棒２０が左右に揺れるようになる。小フック部４０はフック棒２０が左右に揺れた際に、フック棒２０の棒部分が当接することで、フック棒２０が大きく揺れることを防止して、フック部３４からフック２０ａが抜け落ちることを防止するように作用する。
【００１８】
図２は、本実施形態の止め具３０のＡ−Ａ線断面図を示す。上述したように、フック部３４は取り付け板部３２の中央部から取り付け板部３２から若干離間して設けられている。フック部３４は、図のように上方に若干外向きに傾斜して設けられているガイド部３４ａと、フック２０ａを係止する底面が側面形状で円弧状に湾曲する係止部３４ｂとを備えている。ガイド部３４ａを外向きに若干傾斜させることにより、フック棒２０のフック２０ａを引っかけやすく、取り外しやすくなっている。係止部３４ｂはフック２０ａの外周曲面に合わせた曲面状とすることでフック２０ａを安定して係止することができるように設けられている。
【００１９】
図３に、本実施形態のフック棒の止め具３０にフック棒２０を吊り下げた状態を示す。図３（ａ）が正面方向から見た状態、図３（ｂ）が側面方向から見た状態である。フック棒２０のフック２０ａがフック部３４に係止され、フック２０ａの曲げ部分２０ｂの外側面がストッパ部３６ｂの内側面に当接してフック２０ａが左方向に位置ずれすることが規制されている。フック２０ａはフック部３４に係止されることにより右方向に位置ずれすることも規制されているから、フック棒２０はフック部３４に係止された状態で左右方向に位置ずれして抜け落ちることが確実に防止されて吊り下げられる。
【００２０】
なお、フック棒２０はフック２０ａの基部位置で小フック部４０に当接し、小フック部４０によって揺れが防止されてフック部３４からの抜け落ちが防止される。フック棒２０によってはフック２０ａの基部が幅広に形成されているものがあり、その場合には幅広部分が小フック部４０に当接し、フック棒２０の回転が抑えられてフック棒２０の抜け落ちが防止される。
また、フック棒２０をフック部３４に吊り下げた際に、風等でフック棒２０が左右に揺れることがあるが、ストッパ３６ａ、３６ｂによってフック棒２０が外側に位置ずれすることが防止され、小フック部４０によってフック棒２０が内側に位置ずれすることが防止されて、フック棒２０がフック部３４から外れることが好適に防止される。
【００２１】
図３はフック部３４の左側にフック棒２０を吊り下げた状態であるが、止め具３０は左右対称に形成されているから、フック部３４の右側にフック棒２０を吊り下げることもできる。フック棒２０はフック２０ａの向きを取り付け板部３２の面に平行にするようにして、フック部３４に引っかけるようにすればよく、フック部３４にフック２０ａを引っかける際に、左右どちらの向きでもフック部３４に引っかけることができる。したがって、右利きの人も左利きの人も使いやすい止め具３０として提供できる。
【００２２】
本実施形態の止め具３０は、フック部３４が取り付け板部３２の手前側にフック状にそのまま見える形で配されているから、使用に際して、フック棒２０のフック２０ａをフック部３４に引っかけるようにして使用することは容易に認識できる。また、ストッパ部３６ａ、３６ｂが中央部が膨出した形状になっていることから、フック部３４にフック２０ａを引っかけることで自然にフック２０ａの曲げ部分２０ｂがストッパ部３６ａ、３６ｂによって規制され、フック２０ａがフック部３４から外れない状態で吊り下げられる。このように、本実施形態の止め具３０は、だれでも簡単に使用することができるという利点がある。
【００２３】
なお、図３（ｂ）に示すように、フック部３４を取り付け板部３２から若干離間した位置に設けているのは、フック部３４にフック棒２０を吊り下げた際にフック棒２０の本体部分が取り付け板部３２あるいは壁面から離間して、フック棒２０が鉛直に吊り下げられるようにするためである。これによってフック棒２０を安定して吊り下げることができ、フック棒２０が取り扱いやすくなる。
また、図３（ｂ）では取り付け板部３２をビス４２によって壁面に固定した状態を示すが、止め具３０は両面接着テープ等の接着材を利用して取り付けるといったことももちろん可能である。
また、小フック部４０にシャッターの鍵、取り扱い説明書、保証書等を引っかけておくことによって、たとえばシャッター工事工事終了後の留守宅への引き渡しと鍵等を紛失することがなく有用である。
【００２４】
図４は、フック棒の止め具３０の他の実施形態を示す。図４（ａ）に示す止め具３０は、ストッパ部３６ａ、３６ｂを側面形状で上下に非対称形とした例、図４（ｂ）に示す止め具３０はストッパ部３６ａ、３６ｂを側面形状で山形に形成するとともに、側面形状で上下部分を大きく切り欠いた形状とした例である。
これらの実施形態に示すストッパ部３６ａ、３６ｂは、いずれも中央部が膨出する側面形状とし、フック部３４にフック棒２０を係止した際に、フック２０ａがストッパ部３６ａ、３６ｂの内側面に当接してフック２０ａが位置ずれすることを防止する構成としている。
【００２５】
図４（ａ）に示した実施形態では、ストッパ部３６ａ、３６ｂの上部側でより大きく切り欠くことによって、フック棒２０をフック部３４に係止させる操作を容易にすること、ストッパ部３６ａ、３６ｂの下部側を比較的幅広とすることでストッパ部３６ａ、３６ｂの保持性、安定性を向上させている。
また、図４（ｂ）に示す実施形態では、ストッパ部３６ａ、３６ｂの上下部分を大きく切り欠いたことによって、フック棒２０をフック部３４に係脱する操作性を向上させている。
【００２６】
なお、本発明に係る止め具は、フック棒の形態により、使い勝手およびデザイン性を考慮して適宜形状に形成することができる。フック棒によってはフック２０ａの部分の太さがまちまちであり、曲げ形状も異なるし、フック棒２０の柄の部分（棒の部分）の太さもさまざまで、フック２０ａと棒部分との接続部分の長さもまちまちである。本発明に係る止め具は、フック２０ａの太さや曲げ曲率が若干異なる場合でも汎用的に使用できるように設計可能であるが、フック棒２０の形態によってはフック部３４等の形状を特定製品に合わせて設計する必要がある。たとえば、上記実施形態においてはフック部３４の左右両側に対称配置となるようにストッパ部３６ａ、３６ｂを配置したが、フック棒２０によってはフック部３４に対し非対称位置にストッパ部３６ａ、３６ｂを配置する方が使い勝ってが良い場合がある。
【００２７】
また、本発明に係る止め具は、取り付け板部３２とフック部３４とストッパ部３６ａ、３６ｂを一体形成したものであり、構造的にきわめて簡易に形成されているから樹脂成形によって一体成形することが容易であり、量産が可能であることから低コストで提供することができるという利点がある。
【００２８】
【発明の効果】
本発明に係るフック棒の止め具は、上述したように、フック棒を吊り下げて係止する止め具として、フック棒がフック部から外れることを好適に防止し、だれでも簡単に使用することができる使い勝手のよい止め具として提供することができる。また、簡易な構成とすることで、製作が容易となり、低コストで提供することができ、その必要がありながら採用することができず、壁の隅等にたてかけてきていたフック棒を収納する用品として広く使用することが可能にする等の著効を奏する。
【図面の簡単な説明】
【図１】本発明に係るフック棒の止め具の一実施形態の構成を示す正面図、平面図、側面図である。
【図２】フック棒の止め具の断面図である。
【図３】止め具にフック棒を吊り下げた状態を示す説明図である。
【図４】止め具の他の実施形態の構成を示す説明図である。
【図５】従来の止め具の構成を示す斜視図である。
【符号の説明】
２０  フック棒
２０ａ  フック
２０ｂ  曲げ部分
３０  止め具
３２  取り付け板部
３２ａ、３２ｂ  ストッパ部
３４  フック部
３４ａ  ガイド部
３６ａ、３６ｂ  ストッパ部
３８ａ、３８ｂ  ビス孔
４０  小フック部
【図１】
2004190246.tif 000003
【図２】
2004190246.tif 000004
【図３】
2004190246.tif 000005
【図４】
2004190246.tif 000006
【図５】
2004190246.tif 000007